【手続補正書】
【提出日】平成21年10月5日(2009.10.5)
【手続補正１】
【補正対象書類名】特許請求の範囲
【補正対象項目名】全文
【補正方法】変更
【補正の内容】
【特許請求の範囲】
【請求項１】
下記成分を含むことを特徴とする水性分散系：
1)少なくとも1つの塩化ビニリデンポリマー(P1)、及び
2)下記成分を含む少なくとも1つのランダム、交互又はグラジエントコポリマー(C1)：
a)少なくとも1つのホスホネート基-PO(OH)(OR1)（R1は水素原子又は1〜11個の炭素原子を含むアルキル基）を有する少なくとも1つのモノマー単位(m1)、及び
b)スチレン、無水マレイン酸、イタコン酸及び下記一般式に対応する(メタ)アクリルモノマーから選択される少なくとも1つのモノマー(M2)由来の、前記コポリマー(C1)の少なくとも50質量%に相当するモノマー単位(m2)：
CH2=CR2R3
（式中、R2は水素及びメチル基から選択され、R3は-CN基及び-CO-R4基から選択され、R4は、-OH基、-O-R5基（R5は、1〜18個の炭素原子を含む直鎖又は分岐アルキル基、2〜10個の炭素原子を含むエポキシアルキル基及び全部で2〜10個の炭素原子を含むアルコキシアルキル基から選択される）から選択され、かつ最後にR4は-NR6R7基からも選択され、R6及びR7は同一又は異なり、水素及び1〜10個の炭素原子を含むアルキル基から選択される）。
【請求項２】
ちょうど１つの塩化ビニリデンポリマー(P1)と、ちょうど１つのランダム、交互又はグラジエントコポリマー(C1)とを含むことを特徴とする請求項１に記載の水性分散系。
【請求項３】
前記塩化ビニリデンポリマー(P1)が、水性エマルジョンラジカル重合法で調製されることを特徴とする請求項１又は２に記載の水性分散系。
【請求項４】
少なくとも１つのホスホネート基-PO(OH)(OR1)を有する前記モノマー単位(m1)が、以下のモノマーから選択されるエチレン性不飽和モノマー(M1)由来であることを特徴とする請求項１〜３のいずれか１項に記載の水性分散系：
CH2=CR14-CO-O-(CH2)i-PO(OH)(OR1)（R14は水素又はメチル基、iは1〜20）、
CH2=CR14-CO-O-(CH2)i-O-CO-(CH2)10-PO(OH)(OR1)（R14は水素原子又はメチル基、iは1〜20）、
CH2=CR14-CO-O-CH2-C(CH3)(OH)-PO(OH)(OR1)（R14は水素原子又はメチル基）、
CH2=CR14-CO-O-NH-CO-O-(CH2)i-PO(OH)(OR1)（R14は水素原子又はメチル基、iは1〜20）、 
CH2=CR14-CO-O-CH2-CH2-NH-CO-O-(CH2)i-PO(OH)(OR1)（R14は水素原子又はメチル基、iは1〜20）、
CH2=CR14-CO-O-(CH2)i-N(C-(CH3)3)-CH2-PO(OH)(OR1)（R14は水素原子又はメチル基、iは1〜20）、
CH2=CR14-CO-O-(CH2)i-O-CO-(CH2)10-N(CH2-PO(OH)(OR1))2（R14は水素原子又はメチル基、iは1〜20）、
CH2=CR14-CO-O-(CH2)5-N(CH2-PO(OH)(OR1))2（R14は水素原子又はメチル基）、
CH2=CR14-C6H4-C(CH3)2-NH-CO-O-(CH2)i-PO(OH)(OR1)（R14は水素原子又はメチル基、iは1〜20）、
オルトとパラの混合である芳香核の置換を含むCH2=CH-C6H4-CH2-PO(OH)(OR1)、
CH2=CH-PO(OH)(OR1)、及び
少なくとも1つの-PO(OR1')(OR2')基（R1'及びR2'は同一又は異なり、1〜11個の炭素原子を含むアルキル基を表し、すべて又は一部の切断後にホスホネート基-PO(OH)(OR1)（R1は水素原子又は1〜11個の炭素原子を含むアルキル基）をもたらす）を有する対応モノマー(M1')。
【請求項５】
少なくとも１つのホスホネート基-PO(OH)(OR1)を有する前記モノマー単位(m1)が、以下のモノマーから選択されるエチレン性不飽和モノマー(M1)由来であることを特徴とする請求項１〜４のいずれか１項に記載の水性分散系：
CH2=C(CH3)-CO-O-CH2-PO(OH)(OR1)
CH2=C(CH3)-CO-O-(CH2)2-PO(OH)(OR1)
CH2=C(CH3)-CO-O-CH2-C(CH3)(OH)-PO(OH)(OR1)
CH2=C(CH3)-CO-O-NH-CO-O-(CH2)2-PO(OH)(OR1)
CH2=C(CH3)-CO-O-NH-CO-O-CH2-PO(OH)(OR1)
CH2=C(CH3)-CO-O-CH2-CH2-NH-CO-O-(CH2)2-PO(OH)(OR1)
CH2=C(CH3)-CO-O-CH2-CH2-NH-CO-O-CH2-PO(OH)(OR1)
CH2=C(CH3)-CO-O-CH2-CH2-N(C-(CH3)3)-CH2-PO(OH)(OR1)
CH2=C(CH3)-CO-O-(CH2)5-N(CH2-PO(OH)(OR1))2
CH2=CH-PO(OH)(OR1)、及び
少なくとも1つの-PO(OR1')(OR2')基（R1'及びR2'は同一であり、1又は2個の炭素原子を含むアルキル基を表し、切断後にホスホネート基-PO(OH)(OR1)（R1は水素原子又は1又は2個の炭素原子を含むアルキル基）をもたらす）を有する対応モノマー(M1')。
【請求項６】
前記コポリマー(C1)の前記モノマー単位(m1)が、前記コポリマー(C1)中のモノマー単位の総質量に対して、少なくとも0.5質量%及び最高50質量%に相当することを特徴とする請求項１〜５のいずれか１項に記載の水性分散系。
【請求項７】
前記コポリマー(C1)が、無水マレイン酸、イタコン酸及び下記一般式に対応する(メタ)アクリルモノマーから選択される少なくとも1つのモノマー(M2)由来の、前記コポリマー(C1)の少なくとも50質量%に相当するモノマー単位(m2)を含むことを特徴とする請求項１〜６のいずれか１項に記載の水性分散系：
CH2=CR2R3
（式中、R2は水素及びメチル基から選択され、R3は-CN基及び-CO-R4基から選択され、R4は、-OH基及び-O-R5基（R5は、1〜18個の炭素原子を含む直鎖又は分岐アルキル基及び2〜10個の炭素原子を含むエポキシアルキル基から選択される）から選択される）。
【請求項８】
前記コポリマー(C1)の前記モノマー単位(m2)が、前記コポリマー(C1)の最高99.5質量%に相当することを特徴とする請求項１〜７のいずれか１項に記載の水性分散系。
【請求項９】
前記コポリマー(C1)が下記成分を含むことを特徴とする請求項１〜８のいずれか１項に記載の水性分散系：
a)少なくとも1つのホスホネート基-PO(OH)(OR1)を有し、かつ以下のモノマーから選択されるエチレン性不飽和モノマー(M1)由来の、前記コポリマー(C1)の少なくとも0.5質量%及び最高50質量%の比率のモノマー単位(m1)：
CH2=C(CH3)-CO-O-CH2-PO(OH)(OR1)
CH2=C(CH3)-CO-O-CH2-C(CH3)(OH)-PO(OH)(OR1)
CH2=C(CH3)-CO-O-NH-CO-O-(CH2)2-PO(OH)(OR1)
CH2=C(CH3)-CO-O-CH2-CH2-NH-CO-O-(CH2)2-PO(OH)(OR1)
CH2=C(CH3)-CO-O-CH2-CH2-N(C-(CH3)3)-CH2-PO(OH)(OR1)
CH2=CH-PO(OH)(OR1)、及び
少なくとも1つの-PO(OR1')(OR2')基（R1'及びR2は同一であり、1又は2個の炭素原子を含むアルキル基を表し、切断後にホスホネート基-PO(OH)(OR1)（R1は水素原子又は1若しくは2個の炭素原子を含むアルキル基）をもたらす）を有する対応モノマー(M1')；及び
b)無水マレイン酸、イタコン酸、メタクリル酸メチル、アクリル酸メチル、メタクリル酸エチル、アクリル酸エチル、メタクリル酸n-ブチル、アクリル酸n-ブチル、メタクリル酸2-エチルヘキシル、アクリル酸2-エチルヘキシル、メタクリル酸2-ヒドロキシエチル、アクリル酸2-ヒドロキシエチル、メタクリル酸グリシジル、アクリル酸グリシジル、メタクリル酸及びアクリル酸から選択される少なくとも1つのモノマー(M2)由来の、前記コポリマー(C1)の少なくとも50質量%及び最高99.5質量%の比率のモノマー単位(m2)。
【請求項１０】
前記コポリマー(C1)が、水性エマルジョンラジカル重合法又は溶媒中の溶液ラジカル重合法によって調製されることを特徴とする請求項１〜９のいずれか１項に記載の水性分散系。
【請求項１１】
ポリマー(P1)とコポリマー(C1)の総質量に対して、少なくとも65質量%のポリマー(P1)を含むことを特徴とする請求項１〜１０のいずれか１項に記載の水性分散系。
【請求項１２】
請求項１〜１１のいずれか１項に記載の水性分散系の製造方法であって、少なくとも１つの塩化ビニリデンポリマー(P1)の水性分散系及び少なくとも１つのランダム、交互又はグラジエントコポリマー(C1)の水性分散系の混合工程を含むことを特徴とする方法。
【請求項１３】
請求項１〜１１のいずれか１項に記載の水性分散系の、金属又はポリマー表面のコーティングにおける使用。
【請求項１４】
請求項１〜１１のいずれか１項に記載の水性分散系を用いる、金属又はポリマー表面のコーティング方法であって、前記表面上に前記水性分散系をコーティングすることによる方法。